(57)【要約】      （修正有）【課題】集塵ケースの装着不良や装着忘れ時に電動送風機を確実に運転不能にし、集塵ケースの装着不良や装着忘れにより漏れた塵埃を電動送風機が吸い込んで故障するのを未然に防止する電気掃除機を提供する。【解決手段】接続スイッチ４４のオン・オフは、集塵ケースの着脱に応じて行われる。集塵ケースの装着により、図７の（ｂ）に示すように、外部操作部材４９が集塵ケースの底部で押されて接続スイッチ４４はオンする。集塵ケースを外すことにより、外部操作部材４９の押圧が解除され、操作バネ６０の付勢力で図７の（ａ）に示す状態に戻るので、接続スイッチ４４はオフする。接続スイッチ４４は、集塵ケースの着脱に応じて前記電路を開閉する。【選択図】図７
2005349070.tif 000002
【特許請求の範囲】
【請求項１】
本体ケースと、前記本体ケースに設けられ、かつ塵埃を集塵する集塵ケースが着脱自在に装着される収納室と、前記本体ケースに設けられ、かつ前記集塵ケースに塵埃を吸い込ませる電動送風機と、前記電動送風機の運転を制御する制御装置と、前記制御装置を操作する手元スイッチを含む手元操作手段とを有する電気掃除機において、
前記手元操作手段から前記制御装置に伝わる操作信号を断続する断続手段を設け、
断続手段の断続が前記集塵ケースの着脱に応じて行われることを特徴とする電気掃除機。
【請求項２】
本体ケースと、前記本体ケースに設けられ、かつ塵埃を集塵する集塵ケースが着脱自在に装着される収納室と、前記本体ケースに設けられ、かつ前記集塵ケースに塵埃を吸い込ませる電動送風機と、前記電動送風機の運転を制御する制御装置と、前記制御装置に電路を通じて接続される手元スイッチを含む手元操作手段とを有する電気掃除機において、
前記集塵ケースの着脱に応じて前記電路を断続する断続手段を設けたことを特徴とする電気掃除機。
【請求項３】
請求項１または２記載の電気掃除機において、
前記電動送風機に吸い込まれる吸気が流れる吸気流路外に前記断続手段を設けたことを特徴とする電気掃除機。
【請求項４】
請求項１または２記載の電気掃除機において、
前記断続手段を前記収納室に設けたことを特徴とする電気掃除機。
【請求項５】
請求項１または２記載の電気掃除機において、
前記断続手段を断続操作するスイッチボタンを含む外部操作部材が前記収納室内に臨むように備わることを特徴とする電気掃除機。
【請求項６】
請求項４または５記載の電気掃除機において、
前記断続手段を前記収納室の内底部に設け、かつ前記断続手段を前記集塵ケースの吸入口側および排気側から離れた位置に配置したことを特徴とする電気掃除機。
【請求項７】
請求項１または２記載の電気掃除機において、
前記集塵ケースの未装着または装着を含む装着状態を表示する表示部を本体ケースまたは手元操作手段側に設けたことを特徴とする電気掃除機。
【請求項８】
本体ケースと、前記本体ケースに設けられ、かつ塵埃を集塵する集塵ケースが着脱自在に装着される収納室と、前記収納室に設けられる開閉自在なる外蓋と、前記本体ケースに設けられ、かつ前記集塵ケースに塵埃を吸い込ませる電動送風機と、前記電動送風機の運転を制御する制御装置と、前記制御装置を操作する手元スイッチを含む手元操作手段とを有する電気掃除機において、
前記手元操作手段から前記制御装置に伝わる操作信号を断続する断続手段を前記外蓋に設け、
前記外蓋の開閉に伴う前記断続手段の断続は、前記収納室に装着される前記集塵ケースが存在するときに行われることを特徴とする電気掃除機。
【請求項９】
本体ケースと、前記本体ケースに設けられ、かつ塵埃を集塵する集塵ケースが着脱自在に装着される収納室と、前記収納室に設けられる開閉自在なる外蓋と、前記本体ケースに設けられ、かつ前記集塵ケースに塵埃を吸い込ませる電動送風機と、前記電動送風機の運転を制御する制御装置と、前記制御装置に電路を通じて接続される手元スイッチを含む手元操作手段とを有する電気掃除機において、
前記電路を断続する断続手段を前記外蓋に設け、
前記外蓋の開閉に伴う前記断続手段の断続は、前記収納室に装着される前記集塵ケースが存在するときに行われることを特徴とする電気掃除機。
【発明の詳細な説明】
【技術分野】
【０００１】
本発明は、一般家庭において利用する電気掃除機に関するものである。
【背景技術】
【０００２】
特開平５−１８４４９７号公報（特許文献１）に示される従来の電気掃除機は、本体ケースに設けた収納室に装着する紙袋フィルターの装着状態を検知する検知手段を有する。
【０００３】
この検知手段により、紙袋フィルターの装着状態の良し悪しを検知して表示部を表示するものである。
【０００４】
【特許文献１】特開平５−１８４４９７号公報
【発明の開示】
【発明が解決しようとする課題】
【０００５】
しかしながら、上記従来の電気掃除機は、検知装置が紙袋フィルターを装着する収納室に設けられているため、紙袋フィルターの交換時などに収納室に漏れた塵埃が検知装置に付着し動作不良を発生することが考えられる。
【０００６】
また、収納室は紙袋フィルターを通過した後の微細塵が含まれる空気流路でもあるため、微細塵が検知装置に付着蓄積し動作不良を発生することも考えられる。
【０００７】
また、検知装置は、紙袋フィルターの装着状態を表示部に表示するだけであるので、収納室内に紙袋フィルターや集塵ケース等の集塵入れ部材が未装着であっても、吸引力を発生する電動送風機を駆動する恐れが生じ、この電動送風機内に塵埃が流入し、故障する恐れもある。
【０００８】
本発明は、上記の問題に対処し、塵埃入れ部材の未装着や装着不良の状態では電動送風機の運転が行われない電気掃除機を提供することを目的とする。
【課題を解決するための手段】
【０００９】
本発明は、本体ケースと、前記本体ケースに設けられ、かつ塵埃を集塵する集塵ケースが着脱自在に装着される収納室と、本体ケースに設けられ、かつ集塵ケースに塵埃を吸い込ませる電動送風機と、電動送風機の運転を制御する制御装置と、制御装置を操作する手元スイッチを含む手元操作手段とを有する電気掃除機において、手元操作手段から制御装置に伝わる操作信号を断続する断続手段を設け、断続手段の断続が集塵ケースの着脱に応じて行われることを特徴とする。
【発明の効果】
【００１０】
本発明によれば、集塵ケースの未装着や装着不良の状態では電動送風機の運転が行われないので、電動送風機内に塵埃が流入する故障が生じない。
【発明を実施するための最良の形態】
【００１１】
以下、本発明の実施形態に係わる実施例について図を参照して説明する。
【００１２】
図１に示すように電気掃除機は、掃除機本体１と可撓性の吸い込みホース２と、手元操作スイッチ３（手元操作手段）が備わるハンドル部を有する延長吸い込み管４と、吸口体５を有する。
【００１３】
掃除機本体１は、図２〜図７に示すように本体ケース６によって外殻が成形される。本体ケース６は、下側ケース７と上側ケース８によって形成される。掃除機本体１は、本体ケース６と、本体ケース６に設けられる電動送風機９と、コードリール２０と、電動送風機９を制御する制御装置２１と、本体ケース６の収納室２２に着脱自在に装着される集塵ケース２３を有する。また、本体ケース６に下側ケース７には、収納室２２を開け閉め外蓋２４が回動自在に設けられる。さらに本体ケース６は、側面に車輪２５、下面にキャスター２６を有する。
【００１４】
本体ケース６の前側には、図５、図６に示すように、前後方向に走る中心線２７上に本体吸込口２８を設ける。この本体吸込口２８の奥側に設けられる連通口２９は、集塵ケース２３の入口管４０と対向し、かつ気密が保たれるように接続される。
【００１５】
電動送風機９は、図５、図６に示すように、収納室２２の後方に置かれ、かつ前記中心線２７から左側にずれた位置に配置される。この電動送風機９の吸気口は、前側中央に設けられる。
【００１６】
収納室２２は、前側が前記本体吸込口２８に連通し、かつ後側が電動送風機７の吸気口に連通する。収納室２２の後側には、図４、図５、図６に示すように、排気口接続部４１が設けられる。排気口接続部４１は、収納室２２に装着される集塵ケース２３の排気口４２側と着脱自在に気密的に接続される。
【００１７】
この排気口接続部４１と電動送風機９の吸気口は、互いの中央部が同一線上に並ぶように置かれる。そして、排気口接続部４１の中央部が前記中心線２７から左側にずれた位置に配置される。
【００１８】
排気口接続部４１には、収納室２２側と電動送風機９側が通気性を保ったまま仕切る格子４３が設けられる。格子４３の裏側（電動送風機側）には、通気性を有するウレタン等の細塵フィルターが備わる。
【００１９】
接続スイッチ４４（断続手段）は、図６に示すように収納室２２の内底部に設けられる。この接続スイッチ４４（断続手段）は、図１０に示す制御装置２１の手元スイッチ入力回路３５と手元スイッチ３の間の電路（操作信号の電路）に介在するように接続される。接続スイッチ４４（断続手段）は、前記中心線２７を境にして電動送風機９の反対側（コードリール２０側）で、かつ収納室２２を前後に二分する横線３６を境にして後側の位置に設けられる。
【００２０】
接続スイッチ４４（断続手段）について、図７に沿って更に詳しく説明する。
【００２１】
接続スイッチ４４が置かれる収納室２２の底側は、二重構造になっている。上側底４５は、上側ケース８と一体に形成されている。下側底４６は、下側ケース７と一体に形成される。上側底４５の表面側が収納室２２の内底部になる。接続スイッチ４４は、上側底４５と下側底４６の間の空間に置かれ、前記電路のリード線４７に接続される。
【００２２】
接続スイッチ４４は、押し釦を押す操作レバー４８を有する。この操作レバー４８を外から押す外部操作部材４９は、上側底４５に出没自在に支持される。操作バネ６０は、外部操作部材４９を摺動自在に支持する支持筒部６１の環状溝に嵌められ、かつ外部操作部材４９を外向きに付勢している。
【００２３】
図７の（ａ）に示す状態では、接続スイッチ４４は、オフ（開）になっている。外部操作部材４９が操作レバー４８から離れるように操作バネ６０で外側に押されからである。図７の（ｂ）に示す状態では、接続スイッチ４４は、オン（閉）になっている。外部操作部材４９が操作レバー４８を操作バネ６０に抗して内側に押すからである。
【００２４】
接続スイッチ４４のオン・オフは、集塵ケース２３の着脱に応じて行われる。集塵ケース２３の装着により、図７の（ｂ）に示すように、外部操作部材４９が集塵ケース２３の底部で押されて接続スイッチ４４はオンする。集塵ケース２３を外すことにより、外部操作部材４９の押圧が解除され、操作バネ６０の付勢力で図７の（ａ）に示す状態に戻るので、接続スイッチ４４はオフする。接続スイッチ４４は、集塵ケース２３の着脱に応じて前記電路を開閉する。
【００２５】
電気掃除機の電気回路について、図１０に沿って説明する。
【００２６】
前記制御装置２１の制御回路６２は、マイコン６３、電源回路６４、モータ駆動回路６５、表示回路６６、手元スイッチ入力回路３５を有する。電源回路６４は、商用電源６７に接続される。駆動用半導体スイッチ６８と、電動送風機９の電動機６９は直列になって商用電源６７に接続される。駆動用半導体スイッチ６８のゲートには、モータ駆動回路６５の駆動信号が伝えられる。表示部８０は、表示回路６６に接続される。手元スイッチ３は、接続スイッチ４４を介して手元スイッチ入力回路３５に接続される。表示回路６６、手元スイッチ入力回路３５は、２５Ｖ程度の低い電圧になっているので、手元スイッチ３は、電気的な面で安全である。
【００２７】
次に動作の面から説明する。
【００２８】
この電気掃除機は、掃除機本体１に吸い込みホース２、延長吸い込み管４、吸口体５を接続して使用する。
【００２９】
塵埃は、吸口体５から吸い込まれて掃除機本体１の集塵ケース２３に集塵される。塵埃と一緒に吸い込まれた空気は、掃除機本体１の機外に排気される。
【００３０】
かかる電気掃除機の運転に際し、うっかり、集塵ケース２３の装着を忘れて手元スイッチ３をオンしても運転が行われない。集塵ケース２３の未装着で接続スイッチ４４がオフであるため、手元スイッチ３のオン信号が手元スイッチ入力回路３５に伝わらないからである。このため、集塵ケース２３の未装着による誤った運転が行われないので、電気掃除機の故障防止になる。
【００３１】
また、集塵ケース２３の装着が良く行われない不完備な取り付け状態でも、接続スイッチ４４がオンしないので、電気掃除機の運転は行われない。このため、吸い込んだ塵埃が、集塵ケース２３に入らずに収納室２２内に零れる不具合も防止できる。
【００３２】
集塵ケース２３は、入口管４０が本体吸込口２８に、排気口４２が排気口接続部４１にそれぞれ気密的に接続されている。塵埃を含む気流は、集塵ケース２３の内部をもっぱら流通する。このため、紙袋フィルターを使う場合と違って、細塵を含む気流が収納室２２の内側面に沿って流れなく、この吸気が流れない吸気流路外に接続スイッチ４４が置かれるので、接続スイッチ４４への細塵の付着がなく、接続スイッチ４４の作動不良が生じ難い。
【００３３】
また、集塵ケース２３の入口管４０や排気口４２の気密接続個所から細塵を含む気流の漏れがあっても、接続スイッチ４４は、二重構造に収納室２２の底側（上側底４５と下側底４６の間の空間）に置かれるので、細塵の付着による作動不良が生じ難い。
【００３４】
さらに、接続スイッチ４４の外部操作部材４９は、支持筒部６１の外周に嵌るカバーを有する。収納室２２内に細塵が漏れて来ても、細塵は外部操作部材４９のカバーで遮られて支持筒部６１の摺動穴から接続スイッチ４４側に流れ込むことが生じ難い。
【００３５】
また、接続スイッチ４４は、中心線２７を境にして電動送風機９の反対側で、かつ収納室２２を前後に二分する横線３６を境にして後側の位置に設けられている。このため、接続スイッチ４４は、集塵ケース２３の入口管４０（吸込側）からも排気口４２（排気側）から離れた遠い位置に置かれるので、入口管４０からも排気口４２から塵埃が多少、零れても接続スイッチ４４側にはかからず、接続スイッチ４４の作動不良を来たさない。
【００３６】
上記表示部８０に接続スイッチ４４のオン・オフや集塵ケースの未装着または装着を含む装着状態を表示することで、更に使い勝っ手が良くなる。また表示部は手元操作手段もしくは本体ケースに設けることができる。
【００３７】
図９に示す他の実施例について説明する。
【００３８】
この実施例は、収納室２２の内側面に接続スイッチ４４の外部操作部材９０を設けたところが先の実施例と違う特徴である。
【００３９】
外部操作部材９０は、集塵ケース２３の装着に際し、集塵ケース２３の側面に設けた突起（図示せず）またはリブ（図示せず）により下方に押し下げられ、接続スイッチ４４をオフ作動させる。外部操作部材９０を内側面に設けることにより、収納室２２の底面に落ちた塵埃は接続スイッチ４４に付着しずらくなる。接続スイッチ４４の作動不良が、さらに生じ難くなる。
【００４０】
また、接続スイッチ４４の入切できる部分は、上部になるよう配置するのが好ましい。
【００４１】
図８に示す他の実施例について説明する。
【００４２】
この実施例は、外蓋８８に接続スイッチ（図示）を設けたところが先の実施例と違う特徴である。
【００４３】
すなわち、吸い込みホース２が接続される本体吸込口２８を外蓋８８に設け、リード線を本体吸込口２８から外蓋２４、上側ケース８に這わせて制御装置（図示せず）に接続する。接続スイッチおよび外部操作部材（図示せず）は、外蓋８８の本体吸込口２８の近傍に設ける。外蓋２２の開閉に応じて、外部操作部材が集塵ケース（図示せず）に接離して接続スイッチのオン・オフが行われる。
【００４４】
外蓋８８側に接続スイッチを設けることにより、収納室２２内に塵埃が零れても、接続スイッチに塵埃の付着する恐れはなく、接続スイッチの作動不良がより生じ難い。
【００４５】
また、外蓋８８の開閉に伴うリード線の折り曲げ断線を防ぐために、屈曲するところにスリップリングを用いて保護することが好ましい。
【００４６】
上記実施例の手元スイッチは通電を入り切りするスイッチであるが、本発明は手元スイッチを光リモコンスイッチに置き換えることも可能である。この場合は、光リモコンスイッチの光信号（操作信号）を受光する信号路に断続手段を設け、集塵ケースの着脱に応じて断続手段による光信号の断続が行われる構成にする。
【図面の簡単な説明】
【００４７】
【図１】本発明の実施形態に係る実施例で、電気掃除機の全体を示す図。
【図２】本発明の実施形態に係る実施例で、掃除機本体の外蓋を開いた状態を示す斜視図。
【図３】本発明の実施形態に係る実施例で掃除機本体の縦断面図。
【図４】本発明の実施形態に係る実施例で、掃除機本体の外蓋を開け、集塵ケースを取り外した状態を示す斜視図。
【図５】本発明の実施形態に係る実施例で、掃除機本体の外蓋を開け、集塵ケースを取り外した状態を示す平面図。
【図６】本発明の実施形態に係る実施例で、掃除機本体の上側ケースおよび外蓋と集塵ケースを取り外した状態を示す平面図。
【図７】本発明の実施形態に係る実施例で、接続スイッチの縦断面図。
【図８】本発明の実施形態に係る他の実施例で、掃除機本体の外蓋を開いた状態を示す斜視図。
【図９】本発明の実施形態に係る他の実施例で、掃除機本体の外蓋を開け、集塵ケースを取り外した状態を示す斜視図。
【図１０】本発明の実施形態に係る実施例で、電気掃除機の電気回路。
【符号の説明】
【００４８】
１…本体ケース、３…手元スイッチ、９…電動送風機、２１…制御装置、２２…集塵ケース、４４…断続スイッチ（断続手段）。
【図１】
2005349070.tif 000003
【図２】
2005349070.tif 000004
【図３】
2005349070.tif 000005
【図４】
2005349070.tif 000006
【図５】
2005349070.tif 000007
【図６】
2005349070.tif 000008
【図７】
2005349070.tif 000009
【図８】
2005349070.tif 000010
【図９】
2005349070.tif 000011
【図１０】
2005349070.tif 000012